(57)【要約】【課題】釣り時の状態に対応してガイド部材の位置を変更可能で、かつ、ガイド部材が竿杆に強固に取り付けられる釣竿を提供することにある。【解決手段】釣竿１は、竿杆７に取り付けられる脚部１１を備え、釣り糸をガイドするガイド部材９と、竿杆７の外周面に配置され、ガイド部材９を保持する保持部材２１と、第１の端部３２が保持部材２１に固定され、保持部材２１の外側面２７を覆う状態で竿杆７の外周面に巻回される帯状部材とを備える。帯状部材３１は、外周面に設けられる第１の接着部３５と、内周面に設けられ、帯状部材３１が竿杆７の外周面に巻回された後に第１の接着部３５に着脱可能に接着される第２の接着部３６とを備える。【選択図】図２
2012029607.tif 000002
【特許請求の範囲】
【請求項１】
竿杆と、
前記竿杆に取り付けられる脚部を備え、釣り糸をガイドするガイド部材と、
前記竿杆の外周面に配置され、前記ガイド部材を保持する保持部材と、
一端が前記保持部材に固定され、前記保持部材の外側面を覆う状態で前記竿杆の前記外周面に巻回される帯状部材であって、外周面に設けられる第１の接着部と、内周面に設けられ、前記帯状部材が前記竿杆の前記外周面に巻回された後に前記第１の接着部に着脱可能に接着される第２の接着部とを備える帯状部材と、
を具備することを特徴とする釣竿。
【請求項２】
前記保持部材は、前記ガイド部材の前記脚部が挿入される挿入穴を規定する内周面部を備えることを特徴とする請求項１に記載の釣竿。
【請求項３】
前記保持部材は、可撓性を有する材料から形成され、力が加わることにより弾性変形する保持部材を含み、
前記内周面部は、前記保持部材が前記帯状部材に押圧されることにより、長手方向に垂直な断面において前記ガイド部材の前記脚部に対応する形状に変形し、前記脚部に密着する内周面部を含むことを特徴とする請求項２に記載の釣竿。
【発明の詳細な説明】
【技術分野】
【０００１】
本発明は、魚釣りに用いられる釣竿に関する。
【背景技術】
【０００２】
一般に釣竿は、竿杆と、竿杆に取り付けられ、釣り糸をガイドするガイド部材とを備える。ガイド部材は、竿杆の外周面に固定される板状の脚部と、脚部から竿杆の外周方向に突設される環状部とを備える。環状部の内周方向側にはガイドリングが固定され、ガイドリングの内周面により、釣り糸が挿通される挿通孔が規定されている。脚部は竿杆の外周面に釣竿の長手方向に沿って設けられている。そして、脚部の外側を覆う状態に、竿杆の外周面を糸巻きにする。これより、脚部が竿杆に固定され、ガイド部材が竿杆に取り付けられる。
【０００３】
特許文献１には、ガイド部材の脚部の外側を覆う状態に、竿杆の外周面にテープが巻回された釣竿が開示されている。この釣竿では、巻回されたテープの端同士が加熱により接合されている。これにより、脚部が竿杆に固定され、ガイド部材が竿杆に取り付けられる。
【０００４】
特許文献２には、ガイド部材を取り付けるための一対の座板が、糸巻きにより竿杆の外周面に固定された釣竿が開示されている。それぞれの座板には、嵌合孔が設けられている。また、ガイド部材には、弾性変形する一対の脚部が一体に設けられている。それぞれの嵌合孔に対応する脚部が嵌合した状態で挿入されることにより、ガイド部材が竿杆に取り付けられる。
【先行技術文献】
【特許文献】
【０００５】
【特許文献１】特開昭５０−４０３９２号公報
【特許文献２】実公昭４９−９１８６号公報
【発明の概要】
【発明が解決しようとする課題】
【０００６】
釣竿にリールを取り付けて使用する場合、リールの種類等の釣り時の状態に対応して釣竿の最も基端方向側のガイド部材の位置が変更可能であると好都合である。例えば、大型のリールを使用する場合は、小型のリールを使用する場合に比べ、最も基端方向側のガイド部材を先端方向側に位置させる。これにより、最も基端方向側のガイド部材のリールからの距離が大きくなり、最も基端方向側のガイド部材とリールとの間で釣り糸の釣竿に対する角度を小さくすることが可能となる。
【０００７】
しかし、ガイド部材を糸巻きにより取り付ける場合、ガイド部材の位置が固定されるため、一度固定されたガイド部材の位置を変更することができない。また、糸巻きによりガイド部材を竿杆に強固に取り付けるためには、熟練した技能及び時間が必要となる。
【０００８】
また、上記特許文献１の釣竿では、竿杆の外周面に巻回されるテープの端同士が接合されている。このため、ガイド部材の位置は固定される。したがって、一度固定されたガイド部材の位置を変更することができない。
【０００９】
上記特許文献２の釣竿では、ガイド部材は座板に対して着脱可能である。しかし、座板は、糸巻きにより竿杆に対して固定されている。ガイド部材が取り付けられる座板の位置が固定されるため、ガイド部材の位置を変更することができない。
【００１０】
本発明は上記課題に着目してなされたものであり、その目的とするところは、釣り時の状態に対応してガイド部材の位置を変更可能で、かつ、ガイド部材が竿杆に強固に取り付けられる釣竿を提供することにある。
【課題を解決するための手段】
【００１１】
上記目的を達成するため、本発明のある態様では、竿杆と、前記竿杆に取り付けられる脚部を備え、釣り糸をガイドするガイド部材と、前記竿杆の外周面に配置され、前記ガイド部材を保持する保持部材と、一端が前記保持部材に固定され、前記保持部材の外側面を覆う状態で前記竿杆の前記外周面に巻回される帯状部材であって、外周面に設けられる第１の接着部と、内周面に設けられ、前記帯状部材が前記竿杆の前記外周面に巻回された後に前記第１の接着部に着脱可能に接着される第２の接着部とを備える帯状部材と、を具備することを特徴とする釣竿を提供する。
【００１２】
この釣竿では、前記保持部材は、前記ガイド部材の前記脚部が挿入される挿入穴を規定する内周面部を備えることが好ましい。また、前記保持部材は、可撓性を有する材料から形成され、力が加わることにより弾性変形する保持部材を含み、前記内周面部は、前記保持部材が前記帯状部材に押圧されることにより、長手方向に垂直な断面において前記ガイド部材の前記脚部に対応する形状に変形し、前記脚部に密着する内周面部を含むことが好ましい。
【発明の効果】
【００１３】
ガイド部材を保持する保持部材と、第１の接着部及び第２の接着部を備える帯状部材を用いてガイド部材が竿杆に取り付けられるため、糸巻きによりガイド部材を取り付ける場合等とは異なり、容易にガイド部材を竿杆に取り付けることができる。  
また、第１の接着部に対して第２の接着部が着脱可能に接着されるため、釣り時の状態に対応して、長手方向についてのガイド部材の位置を変更することができる。同様に、釣り時の状態に対応して、竿杆の周方向についてのガイド部材の位置を変更することができる。
【００１４】
また、帯状部材を巻回した状態では、保持部材は帯状部材により押圧され、弾性変形する。このため、長手方向に垂直な断面において内周面部がガイド部材の脚部に対応する形状に変形する。これにより、保持部材の内周面部がガイド部材の脚部に密着し、保持部材によりガイド部材をより強固に保持することができる。
【図面の簡単な説明】
【００１５】
【図１】本発明の第１の実施形態に係る釣竿を示す正面図。
【図２】第１の実施形態に係る釣竿の、ガイド部材の竿杆への取付け構造を示す斜視図。
【図３】第１の実施形態に係る釣竿の、ガイド部材の竿杆への取付け構造を示す長手方向に垂直に切断した断面図。
【図４】第１の実施形態に係る釣竿の、ガイド部材の竿杆への取付け方法を示す斜視図。
【図５】本発明の第２の実施形態に係る釣竿の、ガイド部材の竿杆への取付け方法を示す斜視図。
【図６】第２の実施形態に係る釣竿の、ガイド部材の竿杆への取付け構造を示す長手方向に垂直に切断した断面図。
【図７】第２の実施形態に係る釣竿の、ガイド部材の竿杆への取付け構造を示す長手方向に平行に切断した断面図。
【発明を実施するための形態】
【００１６】
（第１の実施形態）  
本発明の第１の実施形態について、図１乃至図４を参照して説明する。図１は、本実施形態の釣竿１を示す図である。図１に示すように、釣竿１は、先端と基端とを有し、長手方向に延設されている。釣竿１は、基端部に設けられるグリップ３と、グリップ３より先端方向側に設けられるリール取付け部５と、リール取付け部５より先端方向側に設けられる竿杆７とを備える。釣り人はグリップ３を握持して、釣りを行う。また、リール取付け部５には、リール（図示しない）が取り付けられる。竿杆７には、金属、合成樹脂等から形成される複数のガイド部材９が取り付けられている。ガイド部材９は、長手方向に並設されている。ガイド部材９により、リールから延出される釣り糸（図示しない）がガイドされる。
【００１７】
図２乃至図４は、ガイド部材９の竿杆７への取付け構造を示す図である。図２乃至図４に示すように、ガイド部材９は、長手方向に延設される板状の脚部１１と、脚部１１から竿杆７の外周方向に突出する環状部１２とを備える。脚部１１と環状部１２との間は、環状部１２を脚部１１に対して竿杆７の外周方向に屈曲させる屈曲部１３が設けられ、屈曲部１３により環状部１２が竿杆７から立ち上がる状態に竿杆７から離して設けられている。環状部１２は内周面と、外周面とを有し、環状部１２の内周面にはガイドリング１５が固定されている。ガイドリング１５の内周面により、釣り糸が挿通される挿通孔１７が規定されている。
【００１８】
また、竿杆７の外周面上には、保持部材２１がガイド部材９と同一の数だけ設けられている。それぞれの保持部材２１は、対応するガイド部材９を保持している。保持部材２１は、ゴム、合成樹脂等の可撓性を有する材料から形成され、力が加わることにより弾性変形する。保持部材２１には、先端方向側の端面から基端方向に向かって設けられる内周面部２２を備える。内周面部２２は、ガイド部材９の脚部１１が挿入される挿入穴２３を規定している。保持部材２１はガイド部材９の脚部１１よりも竿杆７の周方向及び長手方向の寸法が大きい状態に形成され、挿入穴２３にガイド部材９の脚部１１が挿入されることにより、ガイド部材９が保持部材２１に保持される。なお、ガイド部材９の脚部１１は、保持部材２１の挿入穴２３に挿入された状態で内周面部２２に接着等されてもよい。これにより、保持部材２１によりガイド部材９がより強固に保持される。
【００１９】
保持部材２１は、竿杆７の外周面と接触する載置面２５と、竿杆７の径方向について載置面２５と反対側に設けられる外側面２７とを備える。外側面２７には、溝状部２８が形成されている。溝状部２８は、竿杆７の周方向に沿って設けられている。また、竿杆７の周方向について保持部材２１の一端には、挿入溝２９が形成されている。載置面２５は、竿杆７の外周方向に凹む曲面状に形成されている。これにより、竿杆７に対する保持部材２１の移動が規制される。
【００２０】
竿杆７の外周面には、帯状部材３１が保持部材２１（ガイド部材９）と同一の数だけ設けられている。それぞれの帯状部材３１は、対応する保持部材２１の外側面２７を覆う状態で、竿杆７の外周面に巻回されている。帯状部材３１は、合成樹脂シート、合成樹脂繊維、ケブラー繊維等の織布から形成されている。帯状部材３１は、巻始め方向側の端部である第１の端部３２と、巻終り方向側の端部である第２の端部３３とを備える。
【００２１】
帯状部材３１の第１の端部３２は、保持部材２１の挿入溝２９に挿入された状態で、保持部材２１に固定されている。帯状部材３１は、外周面に設けられる第１の接着部３５と、内周面に設けられる第２の接着部３６と備える。ガイド部材９を竿杆７に取り付ける際には、ガイド部材９を保持する保持部材２１を竿杆の外周面上で保持し、帯状部材３１を竿杆７の外周面に巻回する。そして、第２の接着部３６を第１の接着部３５に接着する。第２の接着部３６は第１の接着部に着脱可能に接着される。ここで、第１の接着部３５及び第２の接着部３６は、例えばベルベット式の面ファスナであり、一方が雄ファスナで、他方が雌ファスナである。
【００２２】
帯状部材３１は、保持部材２１の外側面２７を覆う状態で、竿杆７の外周面に巻回される。このため、帯状部材３１を巻回した状態では、保持部材２１は帯状部材３１により押圧され、弾性変形する。保持部材２１が弾性変形することにより、長手方向に垂直な断面において内周面部２２がガイド部材９の脚部１１に対応する形状に変形する。これにより、保持部材２１の内周面部２２がガイド部材９の脚部１１に密着し、保持部材２１によりガイド部材９をより強固に保持することができる。
【００２３】
また、保持部材２１が弾性変形することにより、載置面２５が竿杆７の外周面に沿う形状に変形する。これにより、載置面２５が竿杆７の外周面に密着し、保持部材２１が竿杆７の外周面上で強固に保持される。なお、保持部材２１の載置面２５は、複数の小突起部を設けて、粗い面に形成されることが好ましい。これにより、載置面２５と竿杆７との間の摩擦力が大きくなり、保持部材２１の移動が確実に防止される。さらに、保持部材２１の載置面２５は、釣竿１の先端方向に向かうにつれて、竿杆７の周方向の寸法が大きくなっている。ガイド部材９は、環状部１２が先端法向側の部位に位置するため、重心が先端方向側の部位に位置する。先端方向に向かうにつれて竿杆７の周方向についての載置面２５の寸法を大きくすることにより、先端法向側の部位に重心が位置するガイド部材９が保持部材２１で確実に保持される。ガイド部材９が安定して保持されることにより、保持部材２１の移動がより確実に防止される。したがって、保持部材２１が竿杆７の外周面上でより強固に保持される。
【００２４】
また、保持部材２１の外側面２７には溝状部２８が形成されているため、竿杆７の外周面に巻回された帯状部材３１の保持部材２１の外側面２７上に位置する部分が、溝状部２８内に収容される。このため、溝状部２８により長手方向への帯状部材３１の移動が規制される。したがって、長手方向にずれることなく、帯状部材３１が竿杆７の外周面に巻回される。
【００２５】
以上のようにしてガイド部材９が竿杆７に取り付けられるため、糸巻きによりガイド部材９を取り付ける場合等とは異なり、容易にガイド部材９を竿杆７に取り付けることができる。また、第１の接着部３５に対して第２の接着部３６が着脱可能に接着されるため、釣り時の状態に対応して、長手方向についてのガイド部材９の位置を変更することができる。同様に、釣り時の状態に対応して、竿杆７の周方向についてのガイド部材９の位置を変更することができる。
【００２６】
（第２の実施形態）  
次に、本発明の第２の実施形態について図５乃至図７を参照して説明する。なお、第１の実施形態と同一の部分及び同一の機能を有する部分については同一の符号を付して、その説明は省略する。
【００２７】
図５乃至図７は、第２の実施形態の釣竿１のガイド部材９の竿杆７への取付け構造を示す図である。図５乃至図７に示すように、本実施形態の保持部材２１は、竿杆７の外周面上に位置する内側部材４１と、長手方向について一端を支点として内側部材４１に対して開閉可能な外側部材４２とを備える。長手方向について外側部材４２の開閉動作の支点と反対側の端部には、内側部材４１と外側部材４２との間を係脱可能に係合する係合部４３が設けられている。
【００２８】
また、内側部材４１には第１の凹部４５が形成され、外側部材４２には第２の凹部４６が形成されている。係合部４３により内側部材４１と外側部材４２とが係合した状態では、第１の凹部４５及び第２の凹部４６により、挿入穴２３を規定する内周面部２２が形成されている。ガイド部材９を保持部材２１で保持する際には、外側部材４２を内側部材４１に対して開いた状態で、ガイド部材９の脚部１１を保持部材２１の挿入穴２３に挿入する。そして、外側部材４２を内側部材４１に対して閉じる方向に移動させ、係合部４３により内側部材４１と外側部材４２とを係合する。これにより、ガイド部材９の脚部１１が内側部材４１と外側部材４２との間で挟持され、ガイド部材９が保持部材２１により保持される。
【００２９】
また、内側部材４１には、挿入穴２３が開口する側の端部に、竿杆７の外周方向に向けて突出する抜止め部４８が設けられている。抜止め部４８により、ガイド部材９の脚部１１の挿入穴２３からの抜けが防止される。したがって、保持部材２１によりガイド部材９がより強固に保持される。
【００３０】
（変形例）  
なお、第１の実施形態では、保持部材２１が弾性変形し、内周面部２２がガイド部材９の脚部１１に密着することにより、ガイド部材９が保持され、第２の実施形態では、ガイド部材９の脚部１１が内側部材４１と外側部材４２との間で挟持されることにより、ガイド部材９が保持されているが、これに限るものではない。すなわち、保持部材２１によりガイド部材９が保持されていればよい。
【００３１】
また、釣竿１では、少なくとも１つのガイド部材９が、上述のように保持部材２１及び帯状部材３１により竿杆７に取り付けられていればよく、他のガイド部材９は例えば糸巻きにより竿杆７に取り付けられてもよい。
【００３２】
以上、本発明の実施形態について説明したが、本発明は上記の実施形態に限定されるものではなく、本発明の要旨を逸脱しない範囲で種々の変形ができることは勿論である。
【符号の説明】
【００３３】
１…釣竿、７…竿杆、９…ガイド部材、１１…脚部、２１…保持部材、２２…内周面部、２３…挿入穴、２７…外側面、３１…帯状部材、３２…第１の端部、３３…第２の端部、３５…第１の接着部、３６…第２の接着部。
【図１】
2012029607.tif 000003
【図２】
2012029607.tif 000004
【図３】
2012029607.tif 000005
【図４】
2012029607.tif 000006
【図５】
2012029607.tif 000007
【図６】
2012029607.tif 000008
【図７】
2012029607.tif 000009